(57)【要約】  品質の良い果物を提供する。  四側面と底面を有する段ボール製の箱に、バナナを搭載する果物の梱包方法であって、バナナは未だ熟すことなく緑色であり、そのバナナは数本づつの束（CP）として小分けにされ、この束を複数の孔の空いたビニール袋の中に挿入され、  バナナの束は花床側末端を鉛直方向上向きとし、房側末端を鉛直下向きに配置させ、複数のバナナの束を、箱の一組の辺と平行に複数列に配置し、各列の間には仕切り紙を配置する。
2017018534.tif 000002
【特許請求の範囲】
【請求項１】
四側面と底面を有する箱に、バナナを搭載する果物の梱包方法であって、バナナは未だ熟すことなく緑色であり、
バナナは花床側末端を鉛直方向上向きとし、房側末端を鉛直下向きに配置させてから箱に収容する果物の梱包方法。
【請求項２】
複数のバナナを、箱の一組の側面と平行に複数列に配置して格納することを特徴とする請求項１記載の果物の梱包方法。
【請求項３】
バナナを格納する際に真空となる袋に格納することを特徴とする請求項１または２に記載の果物の梱包方法。
【請求項４】
真空用袋に収納する際は、複数列と仕切り全てを真空用袋に収納してから箱に収容することを特徴とする請求項１乃至３いずれか一つに記載の果物の梱包方法。
【請求項５】
そのバナナは数本づつの束（ＣＰ）として小分けにされ、
この束を複数の孔の空いたビニール袋の中に挿入することを特徴とする請求項１乃至４いずれか一つに記載の果物の梱包方法。
【請求項６】
前記複数列の各列の間には仕切りを配置することを特徴とする請求項１乃至５いずれか一つに記載の果物の梱包方法。
【請求項７】
果物を格納する箱が段ボール製であることを特徴とする請求項１乃至６いずれか一つに記載の果物の梱包方法。
【請求項８】
果物を格納する箱がプラスチック製であることを特徴とする請求項１乃至７いずれか一つに記載の果物の梱包方法。
【請求項９】
バナナは、房（ハンド）、クラスタ、ＣＰ、フィンガ等の構成本数を用途に合わせて調整することのできることを特徴とする請求項１乃至８いずれか一つに記載の果物の梱包方法。
【請求項１０】
四側面と底面を有する段ボール製の箱に、バナナを搭載する果物の梱包方法であって、バナナは未だ熟すことなく緑色であり、そのバナナは数本づつの束（CP）として小分けにされ、
この束を複数の孔の空いたビニール袋の中に挿入し、
バナナの束は花床側末端を鉛直方向上向きとし、房側末端を鉛直下向きに配置させ、
複数のバナナの束を、箱の一組の側面と平行に複数列に配置し、
各列の間には仕切りを配置する果物の梱包方法。
【請求項１１】
四側面と底面を有する箱に、バナナを搭載する果物の梱包方法であって、バナナは未だ熟すことなく緑色であり、
バナナは花床側末端を鉛直方向上向きとし、房側末端を鉛直下向きに配置させた果物の梱包箱。
【請求項１２】
複数のバナナを、箱の一組の側面と平行に複数列に配置して格納されることを特徴とする請求項１１記載の果物の梱包箱。
【請求項１３】
バナナを格納する際に真空となる袋に格納することを特徴とする請求項１１または１２に記載の果物の梱包箱。
【請求項１４】
真空用袋に収納する際は、複数列と仕切り全てを真空用袋に収納してから箱に収容することを特徴とする請求項１１乃至１３いずれか一つに記載の果物の梱包箱。
【請求項１５】
そのバナナは数本づつの束（CP）として小分けにされ、
この束を複数の孔の空いたビニール袋の中に挿入されることを特徴とする請求項１１乃至１４いずれか一つに記載の果物の梱包箱。
【請求項１６】
前記複数列の各列の間には仕切りを配置することを特徴とする請求項１１乃至１５いずれか一つに記載の果物の梱包箱。
【請求項１７】
果物を格納する箱が段ボール製であることを特徴とする請求項１１乃至１６いずれか一つに記載の果物の梱包箱。
【請求項１８】
果物を格納する箱がプラスチック製であることを特徴とする請求項１１乃至１７いずれか一つに記載の果物の梱包箱。
【請求項１９】
バナナは、房（ハンド）、クラスタ、ＣＰ、フィンガ等の構成本数を用途に合わせて調整することのできることを特徴とする請求項１１乃至１８いずれか一つに記載の果物の梱包箱。
【請求項２０】
四側面と底面を有する段ボール製の箱に、バナナを搭載する果物の梱包箱であって、バナナは未だ熟すことなく緑色であり、そのバナナは数本づつの束（CP）として小分けにされ、
この束を複数の孔の空いたビニール袋の中に挿入し、
バナナの束は花床側末端を鉛直方向上向きとし、房側末端を鉛直下向きに配置させ、
複数のバナナの束を、箱の一組の側面と平行に複数列に配置し、
各列の間には仕切り紙を配置する果物の梱包箱。
【請求項２１】
果物を箱に収容する際に、複数列と仕切り全てを真空用袋に収納してから箱に収容する事を特徴とする請求項３記載の果物の梱包箱。
【請求項２２】
四側面と底面を有する箱に、バナナを搭載する果物の梱包方法であって、バナナは未だ熟すことなく緑色であり、
バナナは花床側末端を鉛直方向上向きとし、房側末端を鉛直下向きに配置させた果物の梱包箱を収容するコンテナ。
【請求項２３】
四側面と底面を有する段ボール製の箱に、バナナを搭載する果物の梱包箱を少なくとも一つを収容するコンテナであって、バナナは未だ熟すことなく緑色であり、そのバナナは数本づつの束（CP）として小分けにされ、
この束を複数の孔の空いたビニール袋の中に挿入し、
バナナの束は花床側末端を鉛直方向上向きとし、房側末端を鉛直下向きに配置させ、
複数のバナナの束を、箱の一組の側面と平行に複数列に配置し、
各列の間には仕切り紙を配置する果物の梱包箱を収容するコンテナ。
【請求項２４】
四側面と底面を有する箱に、バナナを搭載する果物の梱包方法であって、バナナは未だ熟すことなく緑色であり、
バナナは花床側末端を鉛直方向上向きとし、房側末端を鉛直下向きに配置させた果物の梱包箱を収容するコンテナを少なくとも一つ搭載する船舶。
【請求項２５】
四側面と底面を有する段ボール製の箱に、バナナを搭載する果物の梱包箱を少なくとも一つを収容するコンテナを搭載するコンテナ船であって、バナナは未だ熟すことなく緑色であり、そのバナナは数本づつの束（CP）として小分けにされ、
この束を複数の孔の空いたビニール袋の中に挿入し、
バナナの束は花床側末端を鉛直方向上向きとし、房側末端を鉛直下向きに配置させ、
複数のバナナの束を、箱の一組の側面と平行に複数列に配置し、
各列の間には仕切り紙を配置する果物の梱包箱を収容するコンテナを搭載する船舶。
【発明の詳細な説明】
【技術分野】
【０００１】
本発明は、果物を運搬する際の梱包方法、果物梱包箱、コンテナ及びコンテナ船に関し、特に梱包時の品質を維持する方法、果物梱包箱、コンテナ及びコンテナ船に関する。
【背景技術】
【０００２】
果物のうち、バナナは栄養が豊富で一年を通じて、収穫できることから人気のある果物である。主にアジアやラテンアメリカの熱帯域で生産されることから、船便で輸送されることも多い。バナナは、熟す前はその果物が緑色であり、熟すにつれて黄色となり、黒色へ変わる。船便で輸送される場合、すでに果実が黄色となってから、船便に搭載するのでは、輸入国へ到着時に完熟してしまい、出荷前に売却が困難な外見に変化してしまう。【０００３】
そこで、通常は、輸出側の農園で果実が緑色の状態で収穫する。収穫した果実はハンドといわれる枝についてる房の状態、または５フィンガ（本）程度毎に穴あきの袋に格納し、さらに、それらの袋ごと全体で大きな穴なしの袋に入れて、ポンプ等で穴なしの袋の中の空気を吸い出して真空状態とする。この真空状態にした袋を箱詰めし、それらを専用船またはコンテナ船に、搭載して輸出する。このとき、輸入国で大きな穴なしの袋を開封して真空を破り、バナナにエチレンガスを供給することで、バナナを黄色に変化させて販売する。【０００４】
ここで、箱詰め方法について図１に示す。この場合、湾曲したバナナの両端であるフィンガトップとクラウンとがバナナの箱の底面に向くように配置されている。また、箱全体に一列分敷き詰められるとさらに、分離シートが一列の上に敷かれ、その上にさらに、同様に二列目が湾曲したバナナの両端であるフィンガトップとクラウンとがバナナの箱の底面に向くように配置されている。【０００５】
特許文献１は、果実梱包材の発明であるが、その図３によれば、エアークッションフォイル袋に入れられたバナナは、中央に湾曲したバナナの両端であるフィンガトップとクラウンとがバナナの箱の底面に向くように配置されている。また両端には、クラウンが箱の底面側であり、フィンガトップを中央のバナナに搭載するように配置されている。
【先行技術文献】
【特許文献】
【０００６】
【特許文献１】特開平１１−１２７４号公報
【特許文献２】ＥＰ特許出願第１７８７９１１号公報
【特許文献３】ＥＰ特許出願第２５４８８１３号公報
【特許文献４】米国特許第５５５６６５８号公報
【発明の概要】
【発明が解決しようとする課題】
【０００７】
ところで、図１に示されるバナナの配置、また、特許文献１で示されるようなバナナの配置を行った場合に次のような課題があった。すなわち、バナナの配置が、中央に湾曲したバナナの両端であるフィンガトップとクラウンとがバナナの箱の底面に向くように配置されている。ところで、輸入国で大きな穴なしの袋を開封して真空を破り、バナナにエチレンガスを供給する際に、前記のようにバナナが配置されているため、エチレンガスがバナナ全体に十分にいきわたらないことがあった。この場合、バナナが、十分に黄色とならず、一部が緑色となってしまうことがあった。【０００８】
また、中央に湾曲したバナナの両端であるフィンガトップとクラウンとがバナナの箱の底面に向くように配置されている場合に、クラウンおよびネックに負担がかかり、長持ちしないという課題があった。【０００９】
さらに、中央に湾曲したバナナの両端であるフィンガトップとクラウンとがバナナの箱の底面に向くように配置されており、重なって配置されるため、クラウンおよびネックが重なってしまい、見えなくなるため、痛んだバナナか否かをすぐに判別できないという課題もある。【００１０】
加えて、小スペースにバナナを大量に詰め込む事ができないため、運搬効率がこれ以上上昇しなかった。【００１１】
その他に、シールも隠れてしまい、貼付しにくく、確認もしにくかった。【００１２】
そこで、本発明の目的は、前記の課題を解決し、品質の良い果物を提供することにある。
【課題を解決するための手段】
【００１３】
本発明の目的を解決する為に、四側面と底面を有する段ボール製の箱に、バナナを搭載する果物の梱包方法であって、バナナは未だ熟すことなく緑色であり、そのバナナは数本づつの束（CP）として小分けにされ、  この束を複数の孔の空いたビニール袋の中に挿入し、  バナナの束は花床側末端を鉛直方向上向きとし、房側末端を鉛直下向きに配置させ、  複数のバナナの束を、箱の一組の側面と平行に複数列に配置し、  各列の間には仕切り紙を配置する。
【発明の効果】
【００１４】
本発明を適用することで、束（CP）が鉛直縦方向に配置されているので、果実を熟させるエチレンガスが全体に行き届く。【００１５】
束（CP）が鉛直縦方向に配置されているので、房側端部（クラウン側）のバナナの軸と首に負担がかからず長持ちする。【００１６】
収納した箱の上面を見るだけで末端部であるフィンガトップを確認する事ができ、また、収納したバナナを箱ごと反転すれば、バナナの茎との接続部である房側端部（クラウン側）の軸と首をすぐに確認する事ができるので、痛んだバナナか否かをすぐに判別できる。【００１７】
小スペースにバナナを大量に詰め込む事ができ、運搬効率が上昇する。【００１８】
縦置きとしたことで、バナナの軸と首に負担がかからないため、バナナを輸送しても品質を維持する事ができる。【００１９】
バナナを縦置きとしたことで、エチレンガスが良くいきわたり、全体にバナナを黄色にする事ができる。また、１３．５度の空気でベンチレーションを行うが、まんべんなくいきわたり、表面にむらが生じない。これまでのパッケージ（一箱）では18本のバナナを２０〜３０本を一つのパッケージにすることができる。【００２０】
バナナを縦置きとしたことで、シールも貼付しやすくなった。【００２１】
パッケージ毎に包装内を真空とするので、商品の乾燥を防ぐ事ができる。乾燥を防ぐことでエチレンガスを吹き付けても色あいもよい。
【図面の簡単な説明】
【００２２】
【図１】従来の方法で梱包されたバナナの構成図である。
【図２】本発明の梱包方法で梱包されたバナナの構成図である。
【図３】本発明の梱包方法で梱包されたバナナの構成図であって、選別用に反転させたものである。
【図４】本発明の梱包方法で梱包されたバナナを収容する箱の第二の実施例の構成図である。
【図５】本発明の梱包方法で梱包されたバナナを収容する箱の第三の実施例の構成図である。
【図６】本発明の梱包方法で梱包されたバナナを収容する箱の第三の実施例の構成図である。
【図７】本発明の梱包方法で梱包されたバナナを収容する箱を収容するコンテナを示す第四の実施例の構成図である。
【図８】本発明の梱包方法で梱包されたバナナを収容する箱を収容するコンテナ登載するコンテナ船を示す第五の実施例の構成図である。
【図９】本発明の梱包方法で梱包されたバナナを収容する箱の第六の実施例の構成図である。
【図１０】本発明の梱包方法で梱包されたバナナを収容する箱の第六の実施例の構成図である。
【図１１】本発明の梱包方法で梱包されたバナナを収容する箱の第六の実施例の構成図である。
【図１２】本発明の梱包方法で梱包されたバナナを収容する箱の第六の実施例の構成図である。
【図１３】本発明の梱包方法で梱包されたバナナを収容する箱の第七の実施例の構成図である。
【図１４】本発明の梱包方法で梱包されたバナナを収容する箱の第七の実施例の構成図である。
【図１５】本発明の梱包方法で梱包されたバナナを収容する箱の第七の実施例の構成図である。
【図１６】本発明の梱包方法で梱包されたバナナを収容する箱の第七の実施例の構成図である。
【図１７】本発明の梱包方法で梱包されたバナナを収容する箱の第八の実施例の構成図である。
【図１８】本発明の梱包方法で梱包されたバナナを収容する箱の第八の実施例の構成図である。
【図１９】本発明の梱包方法で梱包されたバナナを収容する箱の第八の実施例の構成図である。
【図２０】本発明の梱包方法で梱包されたバナナを収容する箱の第九の実施例の構成図である。
【図２１】本発明の梱包方法で梱包されたバナナを収容する箱の第九の実施例の構成図である。
【図２２】本発明の梱包方法で梱包されたバナナを収容する箱の第十の実施例の構成図である。
【図２３】本発明の梱包方法で梱包されたバナナを収容する箱の第十の実施例の構成図である。
【図２４】本発明の梱包方法で梱包されたバナナを収容する箱の第十の実施例の構成図である。
【図２５】本発明の梱包方法で梱包されたバナナを収容する箱の第十の実施例の構成図である。
【図２６】本発明の梱包方法で梱包されたバナナを収容する箱の第十の実施例の構成図である。
【図２７】本発明の梱包方法で梱包されたバナナを収容する箱の第十の実施例の構成図である。
【図２８】本発明の梱包方法で梱包されたバナナを収容する箱の第十の実施例の構成図である。
【図２９】本発明の梱包方法で梱包されたバナナを収容する箱の第十の実施例の構成図である。
【図３０】本発明の梱包方法で梱包されたバナナを収容する箱の第十の実施例の構成図である。
【図３１】本発明の梱包方法で梱包されたバナナを収容する箱の第十の実施例の構成図である。
【図３２】本発明の梱包方法で梱包されたバナナを収容する箱の第十一の実施例の構成図である。
【図３３】本発明の梱包方法で梱包されたバナナを収容する箱の第十一の実施例の構成図である。
【図３４】本発明の梱包方法で梱包されたバナナを収容する箱の第十二の実施例の構成図である。
【図３５】本発明の梱包方法で梱包されたバナナを収容する箱の第十二の実施例の構成図である。
【図３６】本発明の梱包方法で梱包されたバナナを収容する箱の第十二の実施例の構成図である。
【発明を実施するための形態】
【００２３】
次に、本発明に係るバナナ梱包方法の実施の形態について図面を参照して詳細に説明する。
【００２４】
（実施形態）
図２は、本発明の梱包方法で梱包されたバナナの構成図であって、上面側である。図３は、本発明の梱包方法で梱包されたバナナの構成図であって、バナナを輸送後に選別するために、箱ごと反転させて、フィンガトップを確認できるようにしたのが、図３である。
【００２５】
（実施例１）
通気口を有する底面１（図示せず）と通気口を有する四側面２を有する段ボール製の箱３に、バナナ４を搭載するバナナ４の梱包方法であって、バナナ４は未だ熟すことなく緑色であり、そのバナナ４は数本づつの束（CP）６として小分けにされている。箱３の高さは、花床側末端（フィンガトップ）１０と房側末端（クラウン）１２の高さと同程度とすることが好ましい。
【００２６】
この束６を複数の孔の空いたビニール袋８の中に挿入している。
【００２７】
バナナ４の束６は花床側末端（フィンガトップ）１０を、箱３に対して鉛直方向上向きとし、房側末端（クラウン）１２を箱３に対して鉛直下向きに、すなわち、縦置きで配置させる。
【００２８】
複数のバナナの束６を、箱３の一組の側面２と平行に複数列１４に配置する。このとき、束６の間をエチレンガスやベンチレーションができる間隙を有するように配置される。
【００２９】
各列１４の間には仕切り１６を配置する。このように配置することで、エチレンガスやベンチレーションは、底面１や側面の通気口から入り、束６の隙間に入り、さらに、ビニール袋８の通気口から入りバナナに到達する。その後、箱３の開放されている上面からエチレンガスやベンチレーションは抜け出る。
【００３０】
列１４は、長手側面に平行とすれば、一列当たりのバナナ４の数を最大にでき、仕切り１６の数を減らせる。一方、列１４は、短手側面に平行とすれば、仕切り１６の数は増えるが列数も増やせる。
【００３１】
また、仕切り１６の素材は、吸湿性が必要な場合は、布や紙製とすることができる。また、コストを下げたり、弾力性が必要な場合は、発泡スチロール製を採用することになる。
【００３２】
バナナ４を束６ごとにビニール袋８に詰め、縦置きで配置したもの全体を収納可能な真空用袋１８に収容して、箱３内に配置する。この袋からポンプで真空引きする。その結果バナナを格納する袋の内部は、真空となる。バナナ複数列と仕切り全てを格納し、内部のガスを真空にした袋を箱３の中に格納する。
【００３３】
（実施例２）
バナナ４を詰める箱３を図４に示す。四角形の底面１に対して、各辺上に立設される４側面２が設けられる構成となっている。４側面２のうち、少なくとも一組の面には複数の開口部５と取手用開口部５Ａが設けられている。また、開口部５の設けられる別の組の側面に、取り出し開口部２Ａがそれぞれ設けられる。開口部２Ａからは、真空用袋１８の開口部を容易に取り出せるように開口した物である。
【００３４】
（実施例３）
実施例２に示す箱に、更に蓋板２０を設けた物である（図５，６）。開口部２Ａから真空用袋１８を取り出して、箱３の外で鎌等で容易に開封できる事を示す（図６）。
【００３５】
（実施例４）
従来は、箱３は専用船に搭載して、全体として真空化する必要があり、コンテナ２２に搭載する場合も、コンテナ２２全体にバナナを収容する箱３のみを搭載する必要があった。本発明のように真空用袋１８に収納する事で、図７に示すコンテナ２２であっても、本発明に係る箱３を他の運搬品と混載することが可能になり、輸送費を専用船や専用コンテナに比較してコストダウンが図れる。
【００３６】
（実施例５）
本発明を用いた箱３を搭載したコンテナ２２は、専用コンテナでなく、一般のコンテナ２２を用いることから、専用船ではなく、通常のコンテナ船２４（図８）に搭載する事ができ、運搬費を十分削減できる。
【００３７】
（実施例６）
本発明にかかる花床側末端（フィンガトップ）を、箱に対して鉛直方向上向きとし、房側末端（クラウン）を箱に対して鉛直下向きに、すなわち、縦置きで配置させる第６の実施例について図９から図１２を用いて説明する。図９は、紙製の仕切りを備え、仕切りは箱の短手方向に配置され、仕切りの長さは、箱の短手方向の幅とほぼ同一の長さである。バナナは、４から５本程度を、穴開きの袋に詰められたコンシューマパック（CP）である。この穴開きの袋は、開口部をクリップで封印される。箱全体が真空袋に収納される。図１０は、真空ではない箱に収納される。同じく紙製の仕切りを備え、仕切りは箱の短手方向に配置され、仕切りの長さは、箱の短手方向の幅とほぼ同一の長さである。開口部は、シールで封印される。図１１は、図９と同様に配置されるが、袋の開口部の封印方法が異なる。片側三段分は、クリップで袋の開口部が封印される。残り三段分は、シールで封印される。これらの箱で封印される。箱全体が真空袋に収納される。図１２は、紙製の仕切りを備え、仕切りは箱の短手方向に配置され、仕切りの長さは、箱の短手方向の幅とほぼ同一の長さである。バナナは、４から５本程度を、穴開きの袋に詰められたコンシューマパック（CP）である。この穴開きの袋は、開口部をシールで封印される。箱全体が真空袋に収納される。
【００３８】
（実施例７）
本発明にかかる花床側末端（フィンガトップ）を、箱に対して鉛直方向上向きとし、房側末端（クラウン）を箱に対して鉛直下向きに、すなわち、縦置きで配置させる第７の実施例について図１３から図１６を用いて説明する。ここでは、ＣＡ（大気調整）コンテナ搭載用の箱について説明する．図１３は、紙製の仕切りを備え、仕切りは箱の短手方向に配置され、仕切りの長さは、箱の短手方向の幅とほぼ同一の長さである。バナナは、４から５本程度を、穴開きの袋に詰められたコンシューマパック（CP）である。この穴開きの袋は、開口部をシールで封印される。箱全体では、袋に収納されない。図１４は、図１３と同様に収納されるがＣＰの袋の開口部はクリップで封止される。図１５は、図１４と比較して仕切りがスチロールである。図１６は、図１３と同様である。
【００３９】
（実施例８）
本発明にかかる花床側末端（フィンガトップ）を、箱に対して鉛直方向上向きとし、房側末端（クラウン）を箱に対して鉛直下向きに、すなわち、縦置きで配置させる第８の実施例について図１７から図１９を用いて説明する。図１７は、バナナの束がネイキッドクラスタ（複数のバナナの束であって束ごとには袋にいれない）として、ＣＰ単位であるが、ＣＰを袋詰めしない方法で梱包している。図１８は、ＣＰを袋詰めするが、小売り側でステッカーを貼付するために、輸送時にステッカーを貼付しない方法で梱包する際のＣＰの束である。図１９は、図１８と反対にＣＰを収納する袋に輸送時に既にステッカーを貼付する方法である。
【００４０】
(実施例９)
本発明にかかる花床側末端（フィンガトップ）を、箱に対して鉛直方向上向きとし、房側末端（クラウン）を箱に対して鉛直下向きに、すなわち、縦置きで配置させる第９の実施例について図２０から図２１を用いて説明する。図２０は、花床側末端（フィンガトップ）の処理方法であり、花床側末端になんらフィルムをかぶせないのが図２０であり、パラフィルムをかぶせて花床側末端（フィンガトップ）の損傷を最低限に軽減するのが図２１である。ここでは、箱はプラスチック製の箱を用いている。
【００４１】
(実施例１０)
本発明にかかる花床側末端（フィンガトップ）を、箱に対して鉛直方向上向きとし、房側末端（クラウン）を箱に対して鉛直下向きに、すなわち、縦置きで配置させる第１０の実施例について図２２から図３１を用いて説明する。本実施例では、バナナを一度房からほぐして１本１本小分けにしたフィンガ形状で輸送する方法で花床側末端（フィンガトップ）を、箱に対して鉛直方向上向きとし、房側末端（クラウン）を箱に対して鉛直下向きに、すなわち、縦置きで配置させる。図２２は、段ボール紙製の仕切りを備え、仕切りは箱の長手方向に配置され、仕切りの長さは、箱の長手方向の幅とほぼ同一の長さである。そこに、フィンガタイプのバナナを列挙させる。図２３は、フィンガバナナをクラスタ化させる際に、バナナの胴部をシールで複数本まとめて巻きつける方法でクラスタ化する方法を示す図である。図２４は、クラスタ化させるが、花床側末端（フィンガトップ）に輪ゴムを巻きつける方法でクラスタ化する方法を示す図である。図２５は、紙製の仕切りを備え、仕切りは箱の短手方向に配置され、仕切りの長さは、箱の短手方向の幅とほぼ同一の長さである。バナナは、単体のフィンガ状態で箱内に縦置きで搭載される。袋は、一箱分を仕切り仕事収納する。図２６は、図２２と同じ配置ながら、仕切りごとでなく、全体を袋に収納する方法で格納する。図２７は、図２５と同様であるが、仕切りをスチロールで構成したことが異なる。図２８は、図２６と同様に配置された梱包方法である。図２９は、図２２において、各列ごとにビニル袋で梱包した状態を示す。図３０は、図２７と同様のものを背面から示したものである。図３１は、図２７に類似するが、スチロールの長さを短くしたものである。
【００４２】
（実施例１１）
本発明にかかる花床側末端（フィンガトップ）を、箱に対して鉛直方向上向きとし、房側末端（クラウン）を箱に対して鉛直下向きに、すなわち、縦置きで配置させる第１１の実施例について図３２から図３３を用いて説明する。図３２は、フィンガ形状のバナナを胴部でシールで巻き、ＣＰとしたうえで袋に格納し、その開口部を短いシールで封止した梱包方法である。図３３は、図３１に類似するが、単位が、フィンガではなく、バナナが木になる際の単位である、房（ハンド）ごとに梱包されたものである。仕切りとしてスチロールが使用され、仕切りとハンドをまとめて袋に格納する。
【００４３】
（実施例１２）
本発明にかかる花床側末端（フィンガトップ）を、箱に対して鉛直方向上向きとし、房側末端（クラウン）を箱に対して鉛直下向きに、すなわち、縦置きで配置させる第１１の実施例について図３４から図３６を用いて説明する。図３４は、バナナが、３本程度のクラスタごとに袋に格納されるものの、端部が開放された袋に収納されている例を示す。図３５は、クラスタが袋に格納され、開口部がシールで封止されている例を示したものである。図３６は、箱にバナナがクラスタで格納され、その際、バナナの湾曲方向が箱の長手方向ではなく、短手方向に仕切りなく格納される梱包方法を示すものである。
【符号の説明】
【００４４】
１  底面
２  側面
３  箱
４  バナナ
６  束（CP）
８  ビニール袋
１０  花床側末端（フィンガトップ）
１２  房側末端（クラウン）
１４  列
１６  仕切り
１８  真空用袋
２０  蓋板
２２  コンテナ
２４  コンテナ船
【図１】
2017018534.tif 000003
【図２】
2017018534.tif 000004
【図３】
2017018534.tif 000005
【図４】
2017018534.tif 000006
【図５】
2017018534.tif 000007
【図６】
2017018534.tif 000008
【図７】
2017018534.tif 000009
【図８】
2017018534.tif 000010
【図９】
2017018534.tif 000011
【図１０】
2017018534.tif 000012
【図１１】
2017018534.tif 000013
【図１２】
2017018534.tif 000014
【図１３】
2017018534.tif 000015
【図１４】
2017018534.tif 000016
【図１５】
2017018534.tif 000017
【図１６】
2017018534.tif 000018
【図１７】
2017018534.tif 000019
【図１８】
2017018534.tif 000020
【図１９】
2017018534.tif 000021
【図２０】
2017018534.tif 000022
【図２１】
2017018534.tif 000023
【図２２】
2017018534.tif 000024
【図２３】
2017018534.tif 000025
【図２４】
2017018534.tif 000026
【図２５】
2017018534.tif 000027
【図２６】
2017018534.tif 000028
【図２７】
2017018534.tif 000029
【図２８】
2017018534.tif 000030
【図２９】
2017018534.tif 000031
【図３０】
2017018534.tif 000032
【図３１】
2017018534.tif 000033
【図３２】
2017018534.tif 000034
【図３３】
2017018534.tif 000035
【図３４】
2017018534.tif 000036
【図３５】
2017018534.tif 000037
【図３６】
2017018534.tif 000038
【国際調査報告】
2017018534.tif 000039
2017018534.tif 000040
2017018534.tif 000041
2017018534.tif 000042